(57)【要約】【課題】本願発明は、製品に対して、市場における異常波形により評価を行うことができる情報処理システムを提供することを目的とする。【解決手段】ラインモニタ１０は、市場における製品の電源をモニタし、波形データ蓄積ＰＣ２０にモニタした結果を蓄積する。波形データ蓄積ＰＣ２０は、定期的に蓄積したデータをネットワークを介して波形データ加工用ＰＣ３０に転送する。波形データ加工用ＰＣ３０は受信したデータに基づき、電源装置４０を制御することにより遠隔地の市場における電源波形を再生することができる。【選択図】　　　図１
2004078793.tif 000002
【特許請求の範囲】
【請求項１】
対象製品の電源をモニタするモニタ手段と、
前記モニタされたデータを、ネットワークに対して転送する転送手段と、
前記転送手段により転送されたデータを受信する受信手段と、
前記受信したデータに基づき、電源装置を制御する制御手段とを有することを特徴とする情報処理システム。
【請求項２】
前記モニタ手段によりモニタされたデータを蓄積する蓄積手段とを更に有し、
前記転送手段は、前記蓄積手段に蓄積されたデータを転送することを特徴とする請求項１に記載の情報処理システム。
【請求項３】
前記転送手段によるデータの転送は、所定の間隔で行われることを特徴とする請求項２に記載の情報処理システム。
【請求項４】
前記転送手段により転送されるデータには、時間及び場所を示すデータが含まれることを特徴とする請求項１乃至３に記載の情報処理システム。
【請求項５】
対象製品の電源をモニタするモニタステップと、
前記モニタされたデータを、ネットワークに対して転送する転送ステップと、
前記転送ステップにより転送されたデータを受信する受信ステップと、
前記受信したデータに基づき、電源装置を制御する制御ステップとを有することを特徴とする情報処理システムの制御方法。
【発明の詳細な説明】
【０００１】
【発明の属する技術分野】
本発明は、情報処理システム及びその制御方法に監視、特に、遠隔地に設定される製品の電源をモニタするための情報処理システム及びその制御方法に関する。
【０００２】
【従来の技術】
従来、波形測定としてはラインモニタで測定されたデータを内部メモリに格納する事、または波形を出力する事でなされてきた。
【０００３】
一方、製品評価としては、ＩＥＣ６１０００シリーズなどの基本規格で規定された波形の印加による評価がされてきた。
【０００４】
【発明が解決しようとする課題】
ラインモニタは内部メモリが不十分のため長期間・無人測定が困難であった。
【０００５】
また市場の各種異常波形で製品評価を行うことが品質向上には不可欠であるが、測定した波形を正確に再現する装置が無く、市場データに基づく製品評価方法が未確立であった。
【０００６】
本願発明は、特に、遠隔地における電源のモニタリングを効率良く行うこと情報処理システム及びその制御方法を提供することを目的とする。
【０００７】
【課題を解決するための手段】
本願発明の情報処理システムは、対象製品の電源をモニタするモニタ手段と、前記モニタされたデータを、ネットワークに対して転送する転送手段と、前記転送手段により転送されたデータを受信する受信手段と、前記受信したデータに基づき、電源装置を制御する制御手段とを有する。
【０００８】
また、本願発明の情報処理システムの制御方法は、対象製品の電源をモニタするモニタステップと、前記モニタされたデータを、ネットワークに対して転送する転送ステップと、前記転送ステップにより転送されたデータを受信する受信ステップと、前記受信したデータに基づき、電源装置を制御する制御ステップとを有することを特徴とする。
【０００９】
【発明の実施の形態】
以下、本発明の一実施の形態を、図面を用いて詳細に説明する。
【００１０】
（全体の流れの説明）
図１に、本実施の形態の全体図を示す。
【００１１】
図１において、ラインモニタ１０は測定箇所に設置され、測定箇所の電源をモニタするために、対象機器が接続された電源に接続され、電圧波形を観測する。ここで、対象機器とは、測定個所となる特定の場所に設置された、複写機、ファクシミリ、プリンターなどのＡＣ電源により駆動される機器である。
【００１２】
ラインモニタ１０は、入力されたアナログ（ＡＣ電源）の波形信号を２４Ｂｉｔのデジタル信号に変換し、波形データ蓄積用ＰＣに転送する。
【００１３】
ラインモニタ１０には、予め設定されたデータに基づき、入力信号の異常を検知する機能を有している。
【００１４】
波形データ蓄積用ＰＣ２０は、ラインモニタ１０から送信されるデータ（２４Ｂｉｔデジタルデータ）を、時間情報と共に順次、ハードディスクに蓄積する。波形データ蓄積用ＰＣ２０は、ラインモニタ１０とＲＳ２３２Ｃなどのパラレルインターフェースにより接続されている。ここで、Ｂｌｕｅｔｏｏｔｈなどにより接続する構成としてもよいが、その場合、ラインモニタ１０からの送信は、一定時間ごとにまとめて行う構成とする。
【００１５】
波形データ蓄積用ＰＣ２０は、ハードディスクに蓄積された時間情報と波形データに、測定個所を表す予め設定されているデータを付加して、波形データ加工用ＰＣ３０に、インターネットなどを介して転送する。転送間隔は、予め定められた間隔、或いは、常時転送するようにしてもよい。尚、必要に応じて暗号化処理が施される。
【００１６】
波形データ加工用ＰＣ３０は、転送されてきたデータ（波形データ、時間データ、測定個所データ）を順次、ハードディスクに格納する。そして、ハードディスクに格納されたデータを、電源装置４０を制御するためのデータに変換して、電源装置へ出力する。
【００１７】
電源装置４０は、波形データ加工用ＰＣ３０から出力されたデータに基づき、電圧波形を生成し、評価対象機器５０の電源として供給する。
【００１８】
（各構成の説明）
図３は、ラインモニタ１０のブロック図である。
【００１９】
図３において、１０１は電源入力部であり、測定対象の電源が入力される。
【００２０】
１０２はＡ／Ｄ変換部であり、入力されたアナログデータを、２４ｂｉｔのデジタルデータに変換する。本実施の形態においては、電源の周波数の１００倍のサンプリング周波数とする。例えば、６０Ｈｚの電源周波数の場合、６ｋＨｚのサンプリング周波数である。
【００２１】
１０３は異常値判断部であり、入力されたアナログデータに異常値が含まれているか否かを判断する。本実施の形態においては、異常値であるか否の判断は、予め設定された値以上の値が含まれているか否かを判断することによって判断する。１０４は、異常値を判断するための値を設定するための設定手段であり、キーによる入力、又は外部からデータを供給する。
【００２２】
１０５は出力部であり、デジタルデータと異常値であることを示すデータとを付加して、前述の如く波形データ蓄積用ＰＣ２０に出力する。
【００２３】
図４は、波形データ蓄積ＰＣ２０及び波形データ加工用ＰＣ３０のブロック図である。本実施の形態では同じ構成であり、処理プログラムを異ならせることにより、異なる機能を実現する。
【００２４】
図４において、２０１は内部記憶装置、２０２は外部記憶装置であり、種々のデータや本実施の形態を実現するプログラムを保管するＲＡＭ等の半導体記憶装置、磁気記憶装置等からなる。２０３はＣＰＵ装置であり、プログラムの命令に沿って処理を実行する。２０４は表示装置であり、ＣＰＵ装置２０３の命令に沿って、種々の情報などを表示する。２０５はプログラムに対して指示等を与えるマウス、キーボードなどの入力装置である。２０６はＣＰＵ装置２０３の命令に沿って、紙などに情報を出力するプリンタなどの出力装置である。２０７は外部接続装置であり、本装置と外部の装置（ラインモニタ、インターネット、電源装置など）とを接続し、本装置からのデータを外部装置へ供給したり、外部の装置からのデータを受けたりする。
【００２５】
図５は、電源装置４０のブロック図である。
【００２６】
図５において、３０１はデータ受信部であり、波形データ加工用ＰＣ３０から出力されたデータを受信する。
【００２７】
３０２は制御部であり、受信部３０１で受信したデータに基づいて、電源電圧生成部を制御する。
【００２８】
３０３は電源電圧生成部であり、制御部３０２の制御の下に、電源電圧を生成し対象機器５０の電源として供給する。
【００２９】
本実施の形態において、この電源生成部３０３により生成される電源は、測定個所の電圧と同じシミュレーション波形が生成されることになる。
【００３０】
（データ構成について）
図６に、ラインモニタ１０から出力されるデータの構成を示す。
【００３１】
図６に示すように２４ｂｉｔ構成であり、上位の１ｂｉｔは、異常である場合「１」であり、異常ではない場合「０」であり、下位の２３ｂｉｔはアナログの電圧値を、デジタル値に変換したものである。
【００３２】
図７に、波形データ蓄積用ＰＣ２０から出力されるデータの構成を示す。
【００３３】
図７に示すように、１回の転送で、先頭に測定個所を示すデータと、転送するデータの測定開始時間と、連続する複数の測定データが転送される。本実施の形態においては、転送は１分間隔であるので、１分間の測定データ、即ち２４ｂｉｔ×６０（秒）×１００（１秒あたりのサンプリング数）のデータが送信されている。
【００３４】
波形データ加工用ＰＣ０３０から電源装置４０に供給されるデータは、図６に示すような２４ｂｉｔのデータであるが、上位の１ｂｉｔは「０」固定である。
【００３５】
（動作説明）
まず、ラインモニタ１０、波形データ蓄積用ＰＣ２０を測定個所に設置して、それぞれを接続し、測定可能状態にする。
【００３６】
ラインモニタ１０には、予め異常値を判定するための設定値が設定されており、図２に例示するような異常波形が観測された場合は、ラインモニタ１０により異常であることが検知され、ＰＣ２０の専用ソフトにより、波形データ蓄積用ＰＣ２０に異常波形を順次供給する。ＰＣの大容量ハードディスクにデータを格納することでラインモニタの内部メモリ容量に依らず、長期間の無人測定が可能となる。専用ソフトで、蓄積用ＰＣ２０に格納された波形データは波形表示でき、異常電圧の発生頻度、日時、電圧値の並べ替え・検索・集計・印刷や波高値・パルス幅のカーソル測定などの解析を行うことができる。
【００３７】
次に、波形データ加工用ＰＣ３０と電源装置４０を、評価場所に設置し、動作可能状態にする。蓄積用ＰＣ２０に格納された異常波形をＰＣ３０へコピーする。ＰＣ３０の専用ソフトにより、電源装置４０から測定箇所の電圧と同じシミュレーション波形を製品に印加でき、実験の正確性を向上できる。ＰＣ３０に格納してある波形ライブラリから参照して印加することで各種波形での繰返し評価が可能である。
【００３８】
また本ソフトのカット＆ペースト機能による波形加工、各種ファイル形式で作成した数値データからの波形作成など様々な波形による印加実験が容易となり、製品評価や製品故障の原因究明に利用可能である。またマウスのクリック入力によるＰＣ画面上での波形変形機能も持ち、異常波形を局所的に強調した厳しい条件での試験などが可能となる。
【００３９】
更に、測定箇所のシステム（ラインモニタ１０、波形データ蓄積用ＰＣ２０）と、評価場所に設置したシステム（波形データ加工用ＰＣ３０と電源装置４０、対象機器５０）をインターネット接続し、動作可能状態にする。
【００４０】
波形データ加工用ＰＣ３０は特に動作が行われていないため、電源装置４０から電圧波形が出力されていない状態である。
【００４１】
ここで、評価者が波形データ加工用ＰＣ３０へ印加開始を指示すると波形データ蓄積用ＰＣ２０は、ラインモニタ１０から受信した波形データを異常波形も含めて常時、ＰＣ３０へデータ転送する。なお、開始時刻を指示する構成としてもよい。このとき波形データ蓄積用ＰＣ２０は、単に受信するのみで記憶装置への記憶は行わない。ＰＣ３０は電源装置４０へ波形データを伝送し対象機器５０へ出力することで、測定箇所の波形を遠隔地でリアルタイムに印加する製品評価が可能となる。また遠隔地から設定値変更や動作確認もできる。
【００４２】
なお本システムでシミュレートするのは電圧波形のみでなく、消費電流や測定箇所の環境温度などに置き換えてもよい。
【００４３】
以上説明のように、本実施の形態によれば、ハードディスクにデータを格納することでラインモニタの内部メモリ容量に依らず、長期間の無人測定が可能となる。
【００４４】
また専用ソフトにより、電源装置から測定個所のシミュレーション波形を製品に印加でき、実験の正確性を向上できる。
【００４５】
更にインターネットに接続すれば、測定箇所の波形を遠隔地でリアルタイムに印加する製品評価が可能となる。
【００４６】
【発明の効果】
以上説明のように本発明によれば、遠隔地における電源のモニタリングを効率良く行うことができる。
【図面の簡単な説明】
【図１】本実施の形態の全体構成を示す図である。
【図２】電源の正常波形と異常波形の一例を示す図である。
【図３】ラインモニタ１０のブロック図である。
【図４】波形データ蓄積ＰＣ２０及び波形データ加工用ＰＣ３０のブロック図である。
【図５】電源装置４０のブロック図である。
【図６】ラインモニタ１０から出力されるデータの構成を示す。
【図７】波形データ蓄積用ＰＣ２０から出力されるデータの構成を示す。
【符号の説明】
１０　ラインモニタ
２０　波形データ蓄積ＰＣ
３０　波形データ加工用ＰＣ
４０　電源装置
５０　対象機器
【図１】
2004078793.tif 000003
【図２】
2004078793.tif 000004
【図３】
2004078793.tif 000005
【図４】
2004078793.tif 000006
【図５】
2004078793.tif 000007
【図６】
2004078793.tif 000008
【図７】
2004078793.tif 000009